(57)【要約】      （修正有）【課題】携帯電話機のほぼ中央部を持つことで、片手による入力操作時に安定した状態で入力操作ができ、ディスプレイは周囲にいる他人の視線にさらされぬようになり、表示情報が保護される携帯電話機を提供する。【解決手段】キーパッドなどの入力装置２０を携帯電話機本体０１の上部に、ディスプレイ１０を携帯電話機本体０１の下部に配置する。【選択図】図１
0003136770.tif 000002
【実用新案登録請求の範囲】
【請求項１】
折り畳み型の携帯電話機において、開いた状態の正面に対し、キーパッドなどの入力装置を上側に、ディスプレイを下側に配置したことを特徴とする携帯電話機。
【請求項２】
ストレート型の携帯電話機において、正面に対し、キーパッドなどの入力装置を上側に、ディスプレイを下側に配置したことを特徴とする携帯電話機。
【請求項３】
スライド型の携帯電話機において、キーパッド収納時にはディスプレイの上部に機能キーだけを露出し、キーパッド引き出し時には機能キーの下にあるテンキーを露出する、１段式のキーパッド伸縮部を携帯電話機本体の正面から見た上部に設け、ディスプレイをその下側に配置したことを特徴とする携帯電話機。
【請求項４】
スライド型の携帯電話機において、キーパッド収納時にはディスプレイだけが見える状態であり、キーパッド引き出し時には機能キーまでを露出する第１段階と、機能キーの下にあるテンキーを露出する第２段階の、２段式のキーパッド伸縮部を携帯電話機本体の正面から見た上部に設け、ディスプレイをその下側に配置したことを特徴とする携帯電話機。
【請求項５】
折り畳み型の携帯電話機において、キーパッド部分をターンテーブル式とし、キーパッドのターン時に携帯電話機本体の両側長辺にキーパッドの両側長辺が一致するところにカチット収まる定位置を上下２方向で設けておき、そこに収まった状態の時のキーパッドの上下方向に従い、キーパッドを上側にディスプレイを下側に、またはキーパッドを下側にディスプレイを上側に選択配置できるようにしたことを特徴とする携帯電話機の、両方の特徴を選択可能にした携帯電話機。
【請求項６】
ストレート型の携帯電話機において、キーパッド部分をターンテーブル式とし、キーパッドのターン時に携帯電話機本体の両側長辺にキーパッドの両側長辺が一致するところにカチッと収まる定位置を上下２方向で設けておき、そこに収まった状態の時のキーパッドの上下方向に従い、キーパッドを上側にディスプレイを下側に、またはキーパッドを下側にディスプレイを上側に選択配置できるようにしたことを特徴とする携帯電話機。
【考案の詳細な説明】
【技術分野】
【０００１】  本考案は、キーパッド入力装置とディスプレイを備えた携帯電話機の改良に関する。
【背景技術】
【０００２】  従来の携帯電話機の操作面は、ストレート型携帯電話機、折りたたみ型携帯電話機、スライド型携帯電話機のいずれにおいても、ディスプレイが上部で、キーパッドなどの入力装置が下部になる配置にしていた。
例えば図２の右側に示した従来例による折りたたみ型携帯電話機０９を参照すると、従来の携帯電話機０９は、下側にキーパッドなどの入力装置２０を上側にディスプレー部１０を配置し、それらの対向端部を軸に枢着して開閉自在にしたものである。入力に際しては、通常携帯電話機の入力装置２０を図２のように開放した状態で片手で持ち、親指を使用して入力する。
【非特許文献１】  ドコモＷ−ＣＤＭＡ方式取扱説明書ＦＯＲＭＡＮ７００ｉ、０５．４
【考案の開示】
【考案が解決しようとする課題】
【０００３】  従来の携帯電話機では、片手で携帯電話機を持ってその手の指で入力操作するとき、携帯電話機のほぼ最下端を持たねばならないため、携帯電話機本体を支えにくく、入力操作にも不安定さが伴った。また、携帯電話機を持った手よりも更に上位に露出するディスプレイは、携帯電話機を扱う本人以外の周囲にいる他人の視線にさらされ、表示情報が漏れやすい問題があった。
【課題を解決するための手段】
【０００４】  そこで、本考案は、以上の課題を解決すべく、携帯電話機のほぼ中央部を持つことで、片手による入力操作時に安定した状態で入力操作ができ、ディスプレイは周囲にいる他人の視線にさらされぬようになり、表示情報が保護されることを特徴とする携帯電話機を提供することを目的とした。【０００５】  すなわち、本考案は次の構成を有する携帯電話機により課題を解決した。
（１）折り畳み型の携帯電話機において、開いた状態の正面に対し、キーパッドなどの入力装置を上側に、ディスプレイを下側に配置したことを特徴とする携帯電話機。
（２）ストレート型の携帯電話機において、正面に対し、キーパッドなどの入力装置を上側に、ディスプレイを下側に配置したことを特徴とする携帯電話機。
（３）スライド型の携帯電話機において、キーパッド収納時にはディスプレイの上部に機能キーだけを露出し、キーパッド引き出し時には機能キーの下にあるテンキーを露出する、１段式のキーパッド伸縮部を携帯電話機本体の正面から見た上部に設け、ディスプレイをその下側に配置したことを特徴とする携帯電話機。
（４）上記（３）のスライド型の携帯電話機において、キーパッド収納時にはディスプレイだけが見える状態であり、キーパッド引き出し時には機能キーまでを露出する第１段階と、機能キーの下にあるテンキーを露出する第２段階の、２段式のキーパッド伸縮部を携帯電話機本体の正面から見た上部に設け、ディスプレイをその下側に配置したことを特徴とする携帯電話機。
（５）折り畳み型の携帯電話機において、キーパッド部分をターンテーブル式とし、キーパッドのターン時に携帯電話機本体の両側長辺にキーパッドの両側長辺が一致するところにカチット収まる定位置を上下２方向で設けておき、そこに収まった状態の時のキーパッドの上下方向に従い、キーパッドを上側にディスプレイを下側に、またはキーパッドを下側にディスプレイを上側に選択配置できるようにしたことを特徴とする携帯電話機の、両方の特徴を選択可能にした携帯電話機。
（６）ストレート型の携帯電話機において、キーパッド部分をターンテーブル式とし、キーパッドのターン時に携帯電話機本体の両側長辺にキーパッドの両側長辺が一致するところにカチッと収まる定位置を上下２方向で設けておき、そこに収まった状態の時のキーパッドの上下方向に従い、キーパッドを上側にディスプレイを下側に、またはキーパッドを下側にディスプレイを上側に選択配置できるようにしたことを特徴とする携帯電話機。
【作用】
【０００６】  本考案は、以上のような配置形状であるから、片手で入力操作するときは、携帯電話機本体０１のほぼ中央を持つことになるため、しっかり支えられるので安定した状態で入力操作ができ、手の下の位置になるディスプレイは、周囲にいる他人の視線にさらされぬようになり、表示情報が保護される。
【実施例】
【０００７】実施例１
図１は本考案の折り畳み型の携帯電話機０１の実施例を示し、キーパッドなどの入力装置２０を携帯電話機本体０１の上部に、ディスプレイ１０を携帯電話機本体０１の下部に配置し、これら上部及び下部を軸で結合して上部及び下部を相互方向に開閉自在（折り畳み自在）とする。入力装置２は、複数の機能キー及び機能ボタン２１と文字数字等の複数のテンキー２２を配置したものである。入力装置２０とディスプレイ１０の構成はいずれも公知であるが、本考案は従来と違い、入力装置２０を携帯電話機本体０１の上部に、ディスプレイ１０を携帯電話機本体０１の下部に配置することで図２で説明する作用効果を発揮することができる。【０００８】  図２は本考案の携帯電話機（同図左）の使用方法を、従来の携帯電話機（同ず右）の使用方法と対比したもので、本考案の携帯電話機０１のほぼ中央部を手で持つことで、キーパッド２０への片手による入力操作時に安定した状態で入力操作ができ、ディスプレイ１０は周囲にいる他人の視線にさらされぬようになり、表示情報が保護される。【０００９】実施例２
なお、上記実施例において、入力装置２０を携帯電話機本体０１の上部に、ディスプレイ１０を携帯電話機本体０１の下部に設け、上部と下部を軸により結合しないで直接固定してもよい。これをストレート型携帯電話機と称する。【００１０】実施例３
図３は一段スライド式携帯電話機０２ａの実施例を示す。スライド式携帯電話機０２ａはキーパッド２５を備えた１段式でスライドするキーパッド伸縮部（背面側）とディスプレイ１０を備えた部分（正面側）よりなり、キーパッド伸縮部は、キーパッド２５の収納時にはディスプレイ１０の上部に機能キー２１だけを露出し、キーパッド２５の引き出し時には機能キー２１の下にあるテンキー２２を露出するようにスライド式に構成されている。【００１１】実施例４
図４は２段スライド式の携帯電話機０２ｂの実施例を示す。２段スライド式の携帯電話機０２ｂはキーパッド２５を備えた２段式でスライドするキーパッド伸縮部（背面側）とディスプレイ１０を備えた部分（正面側）よりなり、キーパッド伸縮部は、キーパッド２５の収納時にはディスプレイ１０だけが見える状態であり、キーパッド２５引き出し時には機能キー２１までを露出する第１段階と、機能キー２１の下にあるテンキー２２を露出する第２段階の、２段式でスライドするように構成されている。【００１２】実施例５
図５は回転式のキーパッドを備えた折り畳み型の携帯電話機０３の実施例を示す。携帯電話機０３のキーパッド３０を回転軸の周りに回転できるターンテーブル式とし、キーパッド３０の回転時に、携帯電話機本体０３の両側長辺にキーパッド３０の両側長辺が一致するところに、カチッと収まる戻り止めを設け、その定位置を上下２方向に設けておき、そこに収まった状態の時のキーパッド３０の上下方向に従い、ディスプレイ１０の上下方向が切り替わることで、従来の、ディスプレイ１０を上側にキーパッド３０を下側に配置した携帯電話機の特徴と、キーパッド３０を上側にディスプレイ１０を下側に配置し、両方の特徴を選択可能にする。キーパッド２５の配線はキーパッド３０の中空の回転軸内を通るように構成するとか、あるいは２つの停止位置でコネクターの接点を整合させるようにしても良い。【００１３】実施例６
この実施例はストレート型の携帯電話機の例であり、実施例２と実施例５の変形例と把握することができる。実施例２の入力装置２０を携帯電話機本体０１の上部に、ディスプレイ１０を携帯電話機本体０１の下部に設け、上部と下部を軸により結合しないで直接固定した構成において、キーパッドとして実施例５と同様のターンテーブル式キーパッドを備え、従来の、ディスプレイを上側に、キーパッドを下側に配置した携帯電話機の特徴と、キーパッドを上側に、ディスプレイを下側に配置したことを特徴とする携帯電話機の、両方の特徴を選択可能にする。
【考案の効果】
【００１４】    実施例１と同様に、実施例２〜６の実施例による携帯電話機も、携帯電話機のほぼ中央部を手で持つことで、キーパッドへの片手による入力操作時に安定した状態で入力操作ができ、ディスプレイは周囲にいる他人の視線にさらされぬようになり、表示情報が保護される。
以上のように、本考案による携帯電話機は、入力操作時にも不安定さが伴なわず、表示情報も保護されることで安心して使用できる携帯電話機である。
【図面の簡単な説明】
【００１５】
【図１】本考案の一実施例による折りたたみ型携帯電話機０１を例示する斜視図である。
【図２】図１の実施例による携帯電話機０１と、従来の携帯電話機０９の持ち方を比較する説明図である。
【図３】本考案の他の実施例によるスライド型携帯電話機０２を例示する斜視図であり、携帯電話機本体０２の１段階でスライドするキーパッド伸縮部が伸縮した前後の２つの状態を示す。
【図４】本考案のさらに他の実施例によるスライド型携帯電話機０２を例示する斜視図であり、携帯電話機本体０２の２段階でスライドするキーパッド伸縮部が伸縮した前後の３つの状態を示す。
【図５】キーパッド部分をターンテーブル式にした、折りたたみ型携帯電話機０３の切り替えの途中とその前後の状態を示す斜視図である。
【符号の説明】
【００１６】  ０１    折り畳み型携帯電話機の本体
０２ａ  １段階に伸縮するスライド型携帯電話機の本体
０２ｂ  ２段階に伸縮するスライド型携帯電話機の本体
０３    ターンテーブル式キーパッドを有する携帯電話機の本体
０９    従来の携帯電話機の本体
１０    ディスプレイ
２０    キーパッドなどの入力装置
２１    機能キー
２２    文字や数字の入力用のテンキー
２５    スライド式キーパッド
３０    ターンテーブル式キーパッド
【図１】
0003136770.tif 000003
【図２】
0003136770.tif 000004
【図３】
0003136770.tif 000005
【図４】
0003136770.tif 000006
【図５】
0003136770.tif 000007